(57)【要約】【課題】    野菜などを箱詰めする際、差し込みフラップをスリットから差し込むことによって箱天面また底面がともに封緘され、かつ差し込みフラップにより商品の傷付きを防止できるようにする。【解決手段】    野菜などを収納する段ボール製包装箱において、各一組の長側板及び短側板からそれぞれ天板形成用フラップ及び底板形成用フラップを延出し、その天板形成用フラップ及び底板形成用フラップのうち長さ面フラップの先端側角部に差し込みフラップを形成する。一方、幅面フラップにより鞘部をつくるとともに、その鞘部に一組の差し込み用スリットを設けて鞘部内の空間に前記フラップを差し込み用スリットから差し込むことによって天面また底面が封緘され、かつ差し込みフラップにより内容物の傷付きを防止するように構成する。【選択図】    図５
2008184172.tif 000002
【特許請求の範囲】
【請求項１】
各一組の長側板及び短側板からそれぞれ天板形成用フラップ及び底板形成用フラップを延出した段ボール製青果包装箱の封緘構造において、
天板形成用フラップ又は底板形成用フラップのうち、少なくとも一方の長さ面フラップの先端側の角部に差し込みフラップを形成し、前記長さ面フラップと隣り合った幅面フラップをその幅方向に形成された折目より内側に折りこんで幅面フラップで鞘部をつくるとともに、その鞘部表面側に一組のフラップ差し込み用スリットを形成し、前記差し込みフラップを前記差し込み用スリットに差し込むことによって前記天板形成用フラップ又は底板形成用フラップのうち長さ面フラップの先端側の角部に設けた差し込みフラップを幅面フラップで形成された鞘部に収納して箱天板又は底板をステープルなしで固定することを特徴とする包装箱の封緘構造。
【請求項２】
幅面フラップの先端側に係止突起を設け、幅面フラップと接する各一組の短側板の端部に前記係止突起が嵌合するロック孔を設けたことを特徴とする請求項１に記載の包装箱の封緘構造。
【請求項３】
鞘部表面に形成するフラップ差し込み用スリットは、鞘部に切り込んで形成したコ字形の切れ線と折曲げ舌片とからなり、前記折曲げ舌片は前記差し込みフラップを前記差し込み用スリットに差し込んだ際、差し込みフラップに当接して前記差し込み用スリットから抜け止めされるようにしたことを特徴とする請求項１また２の何れかに記載の包装箱の封緘構造。
【発明の詳細な説明】
【技術分野】
【０００１】
本発明は、例えば葱、キャベツ、白菜などの野菜類を収納するのに好適な青果物の包装箱に関し、特にステープルを使用することなく、フラップの差し込みにより上蓋および底板がともに封緘され、かつその差し込みフラップによる商品の傷付きを防止する段ボール包装箱に関する。
【背景技術】
【０００２】
青果物を収納する段ボール包装箱として、特許文献１に示すものが知られている。
【０００３】
このような従来の段ボール包装箱は、例えば図７〜図９に示したように、１組の短辺側の対向側板１，１と、他の組の長辺側の対向側板２，２と、前記短辺側の対向側板１，１の下端に連設された底板形成用フラップ３，３と、前記長辺側の対向側板２，２の下端に連設された底板形成用フラップ４，４と、前記短辺側の対向側板１，１の上端に連設された上蓋形成用フラップ５，５と、前記長辺側の対向側板２，２の上端に連設された上蓋形成用フラップ６，６とから構成されている。
【０００４】
さらに前記長辺側の対向側板２，２の下端に連設された底板形成用フラップ４，４は短辺の長さ方向の中間部で端面同士が近接し、前記短辺側の対向側板１，１の下端に連設された底板形成用フラップ３，３は底板形成用フラップ４，４上に載るように底板形成用フラップ４，４で形成される底板の端部に位置し、底板形成用フラップ３，３と底板形成用フラップ４，４をステープル７によって止めて底板が形成されている。また、上蓋については、前記長辺側の対向側板２，２の上端に連設された上蓋形成用フラップ６，６は短辺の長さ方向の中間部で端面同士が近接し、前記短辺側の対向側板１，１の上端に連設された上蓋形成用フラップ５，５は上蓋形成用フラップ６，６の内面に重なるように上蓋形成用フラップ６，６で形成される上蓋の端部に位置し、上蓋形成用フラップ５，５と上蓋形成用フラップ６，６をステープル８によって止めて上蓋が形成されている。なお、前記底板は包装箱の下端全体を閉じるように形成されているが、上蓋は中央部に矩形（図面では長方形）の通気用の開口部９が形成されるように上蓋形成用フラップ５および６の先端に凹状の切り欠き部５ａおよび６ａが形成されている。
【０００５】
上記構成において、底板形成用フラップ３，３と底板形成用フラップ４，４および上蓋形成用フラップ５，５と上蓋形成用フラップ６，６はともにステープル７および８によって止められている。しかし、ステープルはステープル打ち込み機械により箱に打ち込むものであるから、そのステープル打ち込み作業は農家にとっては面倒である。また開封・解体作業時にステープルにより怪我をしたり、商品である野菜の中にはステープルが混入しやすいため、農家や流通業者に嫌われている。また、使用済み箱のリサイクルの際には、ステープルと段ボールの分別作業に手間がかかり、処理コストが嵩むという欠点があることから、ノンステープル形式の包装箱が農家や流通業者から要望されている。
【０００６】
また、特許文献２〜４に開示されているような包装箱にあっては、一方のフラップに形成された差し込み片を相対する他方のフラップに形成された差込溝に嵌挿させるとき、差し込み片の先端で、包装箱の内部に収納された野菜などに傷を付けるという問題があった。
【特許文献１】特開２００３―３１２６３９号公報
【特許文献２】特開２００３−０６３５２１号公報
【特許文献３】特開２００５−１７８８７７号公報
【特許文献４】特開２００５―３４３５４２号公報
【発明の開示】
【発明が解決しようとする課題】
【０００７】
本発明はこのような課題を解決するものであり、箱の内部に収納された野菜などの傷を付けることなく、封緘作業を簡単に行えるようにした青果包装箱の封緘構造を提供することを目的とする。
【課題を解決するための手段】
【０００８】
この課題を解決するため請求項1の発明は、各一組の長側板及び短側板からそれぞれ天板形成用フラップ及び底板形成用フラップを延出した段ボール製青果包装箱の封緘構造において、
天板形成用フラップ又は底板形成用フラップのうち、少なくとも一方の長さ面フラップの先端側の角部に差し込みフラップを形成し、前記長さ面フラップと隣り合った幅面フラップをその幅方向に形成された折目より内側に折りこんで幅面フラップで鞘部をつくるとともに、その鞘部表面側に一組のフラップ差し込み用スリットを形成し、前記差し込みフラップを前記差し込み用スリットに差し込むことによって前記天板形成用フラップ又は底板形成用フラップのうち長さ面フラップの先端側の角部に設けた差し込みフラップを幅面フラップで形成された鞘部に収納して箱天板又は底板をステープルなしで固定することを特徴とする包装箱の封緘構造である。
【０００９】
請求項２の発明は、幅面フラップの先端側に係止突起を設け、幅面フラップと接する各一組の短側板の端部に前記係止突起が嵌合するロック孔を設けたことを要旨とする請求項１記載の封緘構造である。
【００１０】
請求項３の発明は、鞘部表面に形成するフラップ差し込み用スリットは、鞘部に切り込んで形成したコ字形の切れ線と折曲げ舌片とからなり、前記折曲げ舌片は前記差し込みフラップを前記差し込み用スリットに差し込んだ際、差し込みフラップに当接して前記差し込み用スリットから抜け止めされるようにしたことを要旨とする請求項１また２記載の封緘構造である。
【発明の効果】
【００１１】
この構成により、底板形成用フラップのうち、長さ面フラップの先端に形成した差し込みフラップを、長さ面フラップと隣り合った幅面フラップを巻き込んで鞘のような空間をつくりその表面に形成した一組のフラップ差し込み用スリットに差し込むことによって底板が固定され、また天板形成用フラップのうち、長さ面フラップの先端に形成した差し込みフラップを、前記長さ面フラップと隣り合った幅面フラップを巻き込んで鞘のような空間をつくりその表面に形成した一組のフラップ差し込み用スリットに差し込むことによって天板が固定されていて、底板および天板ともにステープルなしで封緘することができ、また包装箱の内部に収納された葱などの被収納物が差し込みに引っ掛かって傷が付くという虞がなくなるという効果を有する。
【発明を実施するための最良の形態】
【００１２】
以下、実施の形態を図面に基づいて説明する。
先ず第１の実施の形態について説明する。図１は、本発明の第１実施形態の青果物収納用ノンステープルケースのブランクを示すものである。
図１のブランクは、全体が段ボールシートから形成されている。このブランクは、一組の短辺（幅面）側の対向側板１１，１１と、他の組の長辺（長さ面）側の対向側板１２，１２と、前記短辺側の対向側板１１，１１の下端に連設された底板形成用フラップ１３ａ，１３ｂと、前記長辺側の対向側板１２，１２の下端に連設された底板形成用フラップ１４ａ，１４ｂと、前記短辺側の対向側板１１，１１の上端に連設された天板形成用フラップ１５ａ，１５ｂと、前記長辺側の対向側板１２，１２の上端に連設された天板形成用フラップ１６，１６とから構成されている。これらの点は従来例と同じである。
【００１３】
一方、前記対向側板１１，１１の下端に連設した底板形成用フラップ１３ａ，１３ｂは、二つ折りできるようにフラップの中央部幅方向に平行折り目線１７が形成され、かつそのフラップ先端部に一対の係止突起１８を設けられている。
また、一対の突起１８が嵌合する一対のロック孔１９が前記短辺側の対向側板１１，１１に底板形成用フラップ１３ａとの連設線に沿って設けられている。
【００１４】
前記底板形成用フラップ１３ａ，１３ｂのうち、対向側板１１，１１に近接するフラップ１３ａには、前記連設線と直交する方向に伸びる一組のフラップ差し込み用スリット２０を形成する。この各一組のスリット２０は、背中合わせで向き合ったコ字形と逆コ字形の切れ線２１ａと、各切れ線２１ａに囲まれてフラップの側縁に向かう折曲げ舌片２１ｂとから形成されている。
【００１５】
なお、長辺側の対向側板１２，１２の下端に設けた底板形成用フラップ１４ａ，１４ｂは、連設線と平行な折り目線２２より二分できるように形成されている。また、この底板形成用フラップ１４ａ，１４ｂは、対向側板１１，１１の幅方向中央部で突き合せることができる長さに形成されている。因みに底板形成用フラップ１４ｂの先端側角部には、切込み２３、２３を設けて一対の差し込みフラップ２４，２４を設けている。この差し込みフラップ２４，２４は、前記各一組のスリット２０に挿入できるように形成されている。
【００１６】
他方、前記短辺側の対向側板１１，１１の上端に連設した天板形成用フラップ１５ａ，１５ｂは、フラップの中央部幅方向に二つ折りできるように平行折り目線２５が形成され、かつフラップ先端中央部に係止突起２６を設けられている。
また、係止突起２６が嵌合するロック孔２７は前記短辺側の対向側板１１，１１に天板形成用フラップ１３との連設線に沿って設けられている。
この係止突起２６とロック孔２７は、前記底板形成用フラップ１３ａ，１３ｂ側に設けたそれと同様に左右対称的に設けてもよい。
【００１７】
前記天板形成用フラップ１５ａ，１５ｂのうち、対向側板１１，１１に近接するフラップ１５ａは、前記連設線と直交する方向に伸びる一組のフラップ差し込み用スリット３０を形成する。各一組のスリット３０は、背中合わせで向き合うコ字形と逆コ字形の切れ線３１ａと前記切れ線３１ａに囲まれてフラップの側縁に向かう折曲げ舌片３１ｂとから形成されている。
【００１８】
なお、長辺側の対向側板１２，１２の上端に連設する天板形成用フラップ１６は、対向側板１１，１１の幅員をＷとしたとき、１／２Ｗよりも短い寸法のショートフラップに形成されている。このような短い寸法に設定することで、組立て時に箱天面に後述のように開口部が形成されるのである。
また、天板形成用フラップ１６の先端側角部には平行折り目線３３により区画した外えん片３４を設け、その延長上に一対の差し込みフラップ３５，３５を設ける。因みに差し込みフラップ３５,３５は、前記各一組のスリット３０に挿入できるように形成されている。
【００１９】
以上のように形成された箱のブランクを組み立てるときは、図１に符号３６で示した繋ぎ代を介し、先ず四枚の対向側板１１，１１、１２，１２を連係して角筒状の胴壁を形成する。
【００２０】
底を組み立てるときは、先ず前記対向側板１１，１１の下端に連設した底板形成用フラップ１３ａ，１３ｂを平行折り目線１７より二つ折りし、フラップ先端部の係止突起１８をロック孔１９に押し込む。この状態で、底板形成用フラップ１３ａ，１３ｂは後述するように、差し込みフラップ２４，２４を収納できる鞘部となる。
【００２１】
次に、長辺側の対向側板１２，１２の下端に設けた底板形成用フラップ１４ａ，１４ｂを折り目線２２よりくの字形に折り曲げつつ、底板形成用フラップ１４ｂの先端側角部に設ける切込み２３、２３を介して差し込みフラップ２４，２４を底板形成用フラップ１３ａに形成した各スリット２０に挿入する。スリット２０はコ字形または逆コ字形の切れ線２１ａと折曲げ舌片２１ｂとからなり、前記折曲げ舌片２１ｂは前記差し込みフラップ２４を前記差し込み用スリット２０に差し込んだ際、差し込みフラップ２４に当接して前記差し込み用スリットから抜け止めするように作用するのである。
なお長辺側の対向側板１２，１２の下端に設けた底板形成用フラップ１４ａ，１４ｂ間には対向側板１２，１２との連設線と平行な折れ目線２２が形成され、この折れ目線２２によってスリット２０に対する底板形成用フラップ１4ｂの角部の差し込み作業を行なうとき、底板形成用フラップ１４ａ、14ｂを折れ目線２２の部分で折り曲げながら行なえるようになっている。
【００２２】
天面を封緘する場合は、底を組み立てる場合と同様に、先ず前記対向側板１１，１１の上端に連設した天板形成用フラップ１５ａ，１５ｂを平行折り目線２５より二つ折りし、フラップ先端部の係止突起２６をロック孔２７に押し込む。この状態で、天板形成用フラップ１５ａ，１５ｂは後述するように、差し込みフラップ３５，３５を収納することができる鞘部となる。
【００２３】
次に、長辺側の対向側板１２，１２の上端に設けた天板形成用フラップ１６，１６を外えん片３４に設けた折り目線３３よりくの字形に折り曲げつつ、天板形成用フラップ１６の先端側角部に設ける差し込みフラップ３５、３５を天板形成用フラップ１５ａに形成した各スリット３０に挿入する。スリット３０はコ字形または逆コ字形の切れ線３１ａと折曲げ舌片３１ｂとからなり、前記折曲げ舌片３１ｂは前記差し込みフラップ３５を前記差し込み用スリット３０に差し込んだ際、差し込みフラップ３５に当接して前記差し込み用スリットから抜け止めするように作用するのである。
【００２４】
また、前記長辺側の対向側板１２，１２の上端に連設された天板形成用フラップ１６，１６はショートフラップとして設定され、前記短辺側の対向側板１１，１１の上端に連設された二つ折りにされた天板形成用フラップ１５ａ，１５ｂの上面に重なるようにして箱の上蓋が組み立てられる結果、上蓋は中央部に矩形（図面では長方形）の通気用の開口部が形成される。
【００２５】
上記のように本発明において、天板形成用フラップ又は底板形成用フラップのうち幅面フラップで形成された鞘部に差し込み用スリットを設けて長さ面フラップの先端側の角部に設けた差し込みフラップを、鞘部内の空間に前記差し込み用スリットから差し込むことによって、ステープルを使用せずに、箱の天面また底面が封緘され、かつ差し込みフラップにより包装箱の内部に収納された葱等の青果物が傷付くという虞がない。
【００２６】
ところで、図面に示す実施の形態では上蓋は中央部に矩形の通気用の開口部が形成されているが、被収納物によっては短辺の長さ方向の中間部で天板形成用フラップ１６，１６の端面同士を近接させるようにしても良い。
【図面の簡単な説明】
【００２７】
【図１】本発明の第１の実施の形態における段ボール製包装箱の展開図である。
【図２】同包装箱の組み立て途中の状態を上方から見た斜視図である。
【図３】同包装箱の底板の組み立て状態を裏側から見た斜視図である。
【図４】同包装箱の上蓋を閉じた状態を示す斜視図である。
【図５】同包装箱の天板の差し込みフラップと、そのフラップを収納する鞘部の一部を切欠いて示した断面図である。
【図６】同上鞘部と差し込みフラップの収納状態を示す断面図である。
【図７】従来例のねぎを収納した包装箱の上蓋を閉じた状態を示す斜視図である。
【図８】同包装箱の上蓋を開いた状態を示す斜視図である。
【図９】同包装箱の底の組立て状態を示す斜視図である。
【符号の説明】
【００２８】
１１ 短辺側の側板
１２ 長辺側の側板
１３ａ、１３ｂ、１４ａ、１４ｂ  底板形成用フラップ
１５ａ、１５ｂ，１６  天板形成用フラップ
１７、２５  折り目線
１８、２６  係止突起
１９、２７  ロック孔
２０、３０  差し込み用スリット
２１ａ、３１ａ  コ字形切れ線
２１ｂ、３1ｂ  折り曲げ舌片
２２、２３  切込み
２４、３５  差し込みフラップ
３３  折り目線
３４  外えん片
３６  繋ぎ代
【図１】
2008184172.tif 000003
【図２】
2008184172.tif 000004
【図３】
2008184172.tif 000005
【図４】
2008184172.tif 000006
【図５】
2008184172.tif 000007
【図６】
2008184172.tif 000008
【図７】
2008184172.tif 000009
【図８】
2008184172.tif 000010
【図９】
2008184172.tif 000011